(57)【要約】      （修正有）【課題】移動式はんだ煙浄化器を提供する。【解決手段】集塵ボックスの頂端に工業用空気浄化器８が固定取付されており、工業用空気浄化器８の頂端に出気ダクト９が固定取付され、かつ出気ダクト９における工業用空気浄化器８と反対側の一端に出気溝１０が固定取付されており、出気溝１０における出気ダクト９と反対側の一端がハウジング１の出気口位置に固定接続されており、工業用空気浄化器８におけるハウジング１と反対側の一側壁に入気ダクト１１が固定取付されており、ハウジング１の外側の頂端における入気ダクト１１に対応する位置に空気濾過素子溝１２が固定取付され、空気濾過素子溝１２に空気濾過素子１３が取付けられており、ハウジング１の頂端に作業台１４が固定取付され、作業台１４における空気濾過素子溝１２に対応する位置に集気管収納溝１５が固定取付されており、空気濾過素子溝１２が集気管収納溝１５内に延伸する。【選択図】図２
0003229720.tif 000002
【実用新案登録請求の範囲】
【請求項１】
ハウジング１を含み、前記ハウジング１の底面にローラ２が固定取付されており、前記ハ
ウジング１の一側面にドア３が回動可能に接続され、かつ前記ハウジング１におけるドア
３と反対側の一側壁の上端に出気口４が開設されており、前記ハウジング１の内側の底面
に蓄電池５が固定取付され、かつ前記ハウジング１の蓄電池５を取り付ける同一面にイン
バータ６が固定取付されており、前記蓄電池５と前記インバータ６とが配線によって接続
されており、
前記ハウジング１の内側におけるインバータ６を取り付ける同一底面に集塵ボックス７が
滑動可能に取付けられ、かつ前記集塵ボックス７の頂端に工業用空気浄化器８が固定取付
されており、前記工業用空気浄化器８の頂端に出気ダクト９が固定取付され、かつ前記出
気ダクト９における工業用空気浄化器８と反対側の一端に出気溝１０が固定取付されてお
り、前記出気溝１０における出気ダクト９と反対側の一端がハウジング１の出気口４位置
に固定接続されており、前記工業用空気浄化器８におけるハウジング１と反対側の一側壁
に入気ダクト１１が固定取付されており、
前記ハウジング１の外側の頂端における入気ダクト１１に対応する位置に空気濾過素子溝
１２が固定取付され、前記空気濾過素子溝１２に空気濾過素子１３が取付けられており、
前記ハウジング１の頂端に作業台１４が固定取付され、前記作業台１４における空気濾過
素子溝１２に対応する位置に集気管収納溝１５が固定取付されており、前記空気濾過素子
溝１２が集気管収納溝１５内に延伸しており、前記空気濾過素子溝１２の集気管収納溝１
５内に位置する一端に伸縮集気管１６が固定取付されている、
ことを特徴とする移動式はんだ煙浄化器。
【請求項２】
前記集気管収納溝１５における作業台１４と反対側の一端にバッフル１５０１が回動可能
に取付けられていることを特徴とする請求項１に記載の移動式はんだ煙浄化器。
【請求項３】
前記ハウジング１における集気管収納溝１５寄り側の一端にハンドル１０１が固定取付さ
れており、前記ハンドル１０１の水平レベルが前記空気濾過素子１３の取り付ける水平レ
ベルより低くすることを特徴とする請求項１に記載の移動式はんだ煙浄化器。
【請求項４】
前記作業台１４の周縁に保護バー１４０１が設けられていることを特徴とする請求項１に
記載の移動式はんだ煙浄化器。
【請求項５】
前記ローラ２はいずれもロック可能なローラとすることを特徴とする請求項１に記載の移
動式はんだ煙浄化器。
【請求項６】
前記ハウジング１はアングルアイアンを骨格とするアイアンケースとすることを特徴とす
る請求項１に記載の移動式はんだ煙浄化器。
【考案の詳細な説明】
【技術分野】
【０００１】
本実用新案は、空気浄化の技術分野に関するもので、特に、移動式はんだ煙浄化器に関す
る。
【従来の技術】
【０００２】
金属の半田作業環境では、大量の煙塵が浮遊している。このものを人の肺部に吸い込んで
、健康に深刻な影響を及ぼすはずである。ひどい場合は、慢性マンガン中毒や、溶接工の
じん肺などにもつながることもある。このような被害を回避するために、従来では煙浄化
装置を采用して、作業中のはんだ烟を浄化処理することが一般的である。
【０００３】
従来のはんだ煙浄化器は、浄化装置からダクトを導出して、はんだ煙の収集を行うような
気体収集手法が採用されている。ところが、そのほとんどは集気管を集める手段を備えて
いない。そのため、日常の不使用または保管際に、集気管が破損しやすく、使用コストを
増加する。また、従来のはんだ煙浄化器は、空気濾過素子を内蔵するが、その交換が面倒
くさく、手間がかかる。
【考案の概要】
【０００４】
上記の問題を解決するために、本実用新案は、以下の移動式はんだ煙浄化器を提供する
。
ハウジング１を含み、前記ハウジング１の底面にローラ２が固定取付されており、前記
ハウジング１の一側面にドア３が回動可能に接続され、かつ前記ハウジング１におけるド
ア３と反対側の一側壁の上端に出気口４が開設されており、前記ハウジング１の内側の底
面に蓄電池５が固定取付され、かつ前記ハウジング１の蓄電池５を取り付ける同一面にイ
ンバータ６が固定取付されており、前記蓄電池５と前記インバータ６とが配線によって接
続されており、前記ハウジング１の内側におけるインバータ６を取り付ける同一底面に集
塵ボックス７が滑動可能に取付けられ、かつ前記集塵ボックス７の頂端に工業用空気浄化
器８が固定取付されており、前記工業用空気浄化器８の頂端に出気ダクト９が固定取付さ
れ、かつ前記出気ダクト９における工業用空気浄化器８と反対側の一端に出気溝１０が固
定取付されており、前記出気溝１０における出気ダクト９と反対側の一端がハウジング１
の出気口４位置に固定接続されており、前記工業用空気浄化器８におけるハウジング１と
反対側の一側壁に入気ダクト１１が固定取付されており、前記ハウジング１の外側の頂端
における入気ダクト１１に対応する位置に空気濾過素子溝１２が固定取付され、前記空気
濾過素子溝１２に空気濾過素子１３が取付けられており、前記ハウジング１の頂端に作業
台１４が固定取付され、前記作業台１４における空気濾過素子溝１２に対応する位置に集
気管収納溝１５が固定取付されており、前記空気濾過素子溝１２が集気管収納溝１５内に
延伸しており、前記空気濾過素子溝１２の集気管収納溝１５内に位置する一端に伸縮集気
管１６が固定取付されている、移動式はんだ煙浄化器である。
好ましくは、前記集気管収納溝１５における作業台１４と反対側の一端にバッフル１５
０１が回動可能に取付けられている。
好ましくは、前記ハウジング１における集気管収納溝１５寄り側の一端にハンドル１０
１が固定取付されており、前記ハンドル１０１の水平レベルが前記空気濾過素子１３の取
り付ける水平レベルより低くする。
好ましくは、前記作業台１４の周縁に保護バー１４０１が設けられている。
好ましくは、前記ローラ２はいずれもロック可能なローラとする。
好ましくは、前記ハウジング１はアングルアイアンを骨格とするアイアンケースとする
。
【０００５】
本実用新案の移動式はんだ煙浄化器は以下の利点を有する。
（１）本考案にかかる移動式はんだ煙浄化器は、集気管収納溝とバッフルを備えているこ
とによって、上記のように集気管収集手段を具備しないくせに、日常の非保存期間では集
気管が破損しやすいという従来のはんだ煙浄化器の不都合を回避することができる。集気
管収納溝とバッフルの組合せによって不使用際に伸縮集気管を集気管収納溝中に収納すれ
ばよく、使用際にはバッフルを開放すれば、伸縮集気管を引き出して利用できる。したが
って、本考案は簡単な構成によって集気管収納の従来の課題を解決でき、実用性を有する
。
【０００６】
（２）本考案の移動式はんだ煙浄化器は、空気濾過素子溝を備えていることによって、濾
過素子が内蔵されるくせに、交換が面倒であるという従来のはんだ煙浄化器の不都合を回
避することができる。空気濾過素子溝と入気ダクトの組み合わせによって、本考案の移動
式はんだ煙浄化器は外部で空気濾過素子の交換を行うことができる。はんだ煙を外部の空
気濾過素子により濾過してから、工業用空気浄化器に進入させるようにできれば、工業用
空気浄化器中の濾過素子の使用寿命を延ばし、交換数を減少する。
【図面の簡単な説明】
【０００７】
【図１】本実用新案の上面構成模式図。
【図２】本実用新案の図１のＡ部における断面構成模式図。
【図３】本実用新案の正面から見る斜視構成模式図。
【図４】本実用新案の背面から見る斜視構成模式図。
【考案を実施するための形態】
【０００８】
以下、図面とともに、本実施形態を説明する。
図１〜図４に示されるよに、本移動式はんだ煙浄化器は、出気ダクト１を含み、ハウジン
グ１を含み、ハウジング１の底面にローラ２が固定取付されており、ハウジング１の一側
面にドア３が回動可能に接続され、かつハウジング１におけるドア３と反対側の一側壁の
上端に出気口４が開設されており、ハウジング１の内側の底面に蓄電池５が固定取付され
、かつハウジング１の蓄電池５を取り付ける同一面にインバータ６が固定取付されており
、蓄電池５とインバータ６とが配線によって接続されている。
【０００９】
ハウジング１の内側におけるインバータ６を取り付ける同一底面に集塵ボックス７が滑動
可能に取付けられ、かつ集塵ボックス７の頂端に工業用空気浄化器８が固定取付されてお
り、工業用空気浄化器８の頂端に出気ダクト９が固定取付され、かつ出気ダクト９におけ
る工業用空気浄化器８と反対側の一端に出気溝１０が固定取付されており、出気溝１０に
おける出気ダクト９と反対側の一端がハウジング１の出気口４位置に固定接続されており
、工業用空気浄化器８におけるハウジング１と反対側の一側壁に入気ダクト１１が固定取
付されている。
【００１０】
ハウジング１の外側の頂端における入気ダクト１１に対応する位置に空気濾過素子溝１２
が固定取付され、空気濾過素子溝１２に空気濾過素子１３が取付けられており、ハウジン
グ１の頂端に作業台１４が固定取付され、作業台１４における空気濾過素子溝１２に対応
する位置に集気管収納溝１５が固定取付されており、空気濾過素子溝１２が集気管収納溝
１５内に延伸しており、空気濾過素子溝１２の集気管収納溝１５内に位置する一端に伸縮
集気管１６が固定取付されている。
【００１１】
一実施形態として、集気管収納溝１５における作業台１４と反対側の一端にバッフル１５
０１が回動可能に取付けられている。
【００１２】
一実施形態として、ハウジング１における集気管収納溝１５寄り側の一端にハンドル１０
１が固定取付されており、ハンドル１０１の水平レベルが空気濾過素子１３の取り付ける
水平レベルより低くする。
【００１３】
一実施形態として、作業台１４の周縁に保護バー１４０１が設けられている。
【００１４】
一実施形態として、ローラ２はいずれもロック可能なローラとする。
【００１５】
一実施形態として、ハウジング１はアングルアイアンを骨格とするアイアンケースとする
。
【００１６】
本実用新案の動作原理について説明する。本考案の移動式はんだ煙浄化器は、使用際にバ
ッフル１５０１を開放して、伸縮集気管１６を引き出してはんだ煙を収集すればよい。収
集した煙塵が空気濾過素子１３により初歩濾過され、その後入気ダクト１１を通して工業
用空気浄化器８に流れ込む。浄化後の空気が出気ダクト９を介して出気口４から排出する
。使い終わったら伸縮集気管１６を縮み込ませで、バッフル１５０１を閉合すればよい。
【００１７】
以上によれば、本考案にかかる移動式はんだ煙浄化器は、集気管収納溝１５とバッフル１
５０１を備えていることによって、上記のように集気管収集手段を具備しないくせに、日
常の非保存期間では集気管が破損しやすいという従来のはんだ煙浄化器の不都合を回避す
ることができる。集気管収納溝１５とバッフル１５０１の組合せによって不使用際に伸縮
集気管１６を集気管収納溝１５中に収納すればよく、使用際にはバッフル１５０１を開放
すれば、伸縮集気管１６を引き出して利用できる。したがって、本考案は簡単な構成によ
って集気管収納の従来の課題を解決でき、実用性を有する。本考案の移動式はんだ煙浄化
器は、空気濾過素子溝１２を備えていることによって、濾過素子が内蔵されるくせに、交
換が面倒であるという従来のはんだ煙浄化器の不都合を回避することができる。空気濾過
素子溝１２と入気ダクト１１の組み合わせによって、本考案の移動式はんだ煙浄化器は外
部で空気濾過素子１３の交換を行うことができる。はんだ煙を外部の空気濾過素子１３に
より濾過してから、工業用空気浄化器８に進入させるようにできれば、工業用空気浄化器
８中の濾過素子の使用寿命を延ばし、交換数を減少する。
【００１８】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１９】
１    ハウジング
１０１    ハンドル
２    ローラ
３    ドア
４    出気口
５    蓄電池
６    インバータ
７    集塵ボックス
８    工業用空気浄化器
９    出気ダクト
１０    出気溝
１１    入気ダクト
１２    空気濾過素子溝
１３    空気濾過素子
１４    作業台
１４０１    保護バー
１５    集気管収納溝
１５０１    バッフル
１６    伸縮集気管
【図１】
0003229720.tif 000003
【図２】
0003229720.tif 000004
【図３】
0003229720.tif 000005
【図４】
0003229720.tif 000006